(57)【要約】  【課題】  写真処理効率の低下を回避しながらも、複列搬送モードで生じる列間のローラ汚れを効果的に除去できる写真処理装置を提供する。  【解決手段】  露光部Aで露光された感光材料Pを現像処理部Cへ搬送する搬送部に、感光材料Pを搬送路上で複数列に振り分けて搬送する振分機構１０を備え、前記振分機構１０により感光材料Pを複数列に振り分けて搬送する複列搬送モードから、前記複列搬送モードによる感光材料Pの搬送経路の中間位置に感光材料を単列又は複列で搬送する列間搬送モードに、予め設定された所定タイミングで切り替えるモード切替手段を設けてある写真処理装置であって、前記モード切替手段は、前記複列搬送モードで搬送される感光材料の配列条件に応じて、前記所定タイミングに達する前後に列間搬送モードに切り替えるように構成されている。  【選択図】  図１
2006178152.tif 000002
【特許請求の範囲】
【請求項１】
露光部で露光された感光材料を現像処理部へ搬送する搬送部に、感光材料を搬送路上で複数列に振り分けて搬送する振分機構を備え、前記振分機構により感光材料を複数列に振り分けて搬送する複列搬送モードから、前記複列搬送モードによる感光材料の搬送経路の中間位置に感光材料を単列又は複列で搬送する列間搬送モードに、予め設定された所定タイミングで切り替えるモード切替手段を設けてある写真処理装置であって、
前記モード切替手段は、前記複列搬送モードで搬送される感光材料の配列条件に応じて、前記所定タイミングに達する前後に列間搬送モードに切り替えるように構成されている写真処理装置。
【請求項２】
前記配列条件が、搬送方向長さが異なる複数の感光材料の混合搬送パターンである請求項１記載の写真処理装置。
【請求項３】
前記配列条件が、オーダー単位の感光材料の処理枚数である請求項１記載の写真処理装置。
【発明の詳細な説明】
【技術分野】
【０００１】
本発明は、露光部で露光された感光材料を現像処理部へ搬送する搬送部に、感光材料を搬送路上で複数列に振り分けて搬送する振分機構を備え、前記振分機構により感光材料を複数列に振り分けて搬送する複列搬送モードから、前記複列搬送モードによる感光材料の搬送経路の中間位置に感光材料を単列又は複列で搬送する列間搬送モードに、予め設定された所定タイミングで切り替えるモード切替手段を設けてある写真処理装置に関する。
【背景技術】
【０００２】
写真焼付装置の処理能力を向上させるため、露光された感光材料の現像処理部への搬送経路中で左右にずらして振り分け、千鳥状の配列で複列に現像処理部へ送り現像処理効率を向上させる写真処理装置が提案されている。このような写真処理装置の現像処理部では、複列搬送される感光材料と感光材料の間の感光材料が殆んど通過しないローラ部分に、時間の経過と共に処理液（現像液）中の化学物質の酸化による劣化や温度条件の変化等により析出して汚れが付着し、汚れの程度が酷いときに幅の広い感光材料を単列処理で現像するとローラ部分から感光材料に汚れが付着するという不都合があった。
【０００３】
そこで、複列搬送モードによる動作時に予め設定された所定タイミング、例えば、処理枚数が予め設定された一定枚数になったときに、複列搬送モードから列間搬送モードに切り替えてクリーニング処理を行なう写真処理装置の感光材料搬送方法が提案されている。つまり、汚れの発生するごく初期の時点で一枚または数枚の感光材料を搬送して、対応するローラの汚れを除去することにより、程度の甚だしい汚れによるプリント品質の劣化を回避するものである。列間搬送モードで設定された枚数の感光材料が搬送された後には、再度、複列搬送モードに切り替えて処理が継続されるものである。
【特許文献１】特開平０７−２８７３７８号公報
【発明の開示】
【発明が解決しようとする課題】
【０００４】
しかし、上述した従来の写真処理装置では、予め設定された所定タイミングで一律に複列搬送モードから列間搬送モードに切り替えるものであったために、複列搬送モードで搬送される感光材料の配列条件によっては、スループット、つまり、単位時間当たりの処理枚数が低下するという問題があった。
【０００５】
本発明は、上述の従来欠点に鑑み、写真処理効率の低下を回避しながらも、複列搬送モードで生じる列間のローラ汚れを効果的に除去できる写真処理装置を提供する点にある。
【課題を解決するための手段】
【０００６】
上述の目的を達成するため、本発明による写真処理装置の第一の特徴構成は、特許請求の範囲の書類の請求項１に記載した通り、露光部で露光された感光材料を現像処理部へ搬送する搬送部に、感光材料を搬送路上で複数列に振り分けて搬送する振分機構を備え、前記振分機構により感光材料を複数列に振り分けて搬送する複列搬送モードから、前記複列搬送モードによる感光材料の搬送経路の中間位置に感光材料を単列又は複列で搬送する列間搬送モードに、予め設定された所定タイミングで切り替えるモード切替手段を設けてある写真処理装置であって、前記モード切替手段は、前記複列搬送モードで搬送される感光材料の配列条件に応じて、前記所定タイミングに達する前後に列間搬送モードに切り替えるように構成されている点にある。
【０００７】
上述の構成によれば、複列搬送モードでの感光材料の搬送中に、列間搬送モードに移行すべき所定タイミングを略維持しながら、感光材料の配列条件に応じてその前後の適切なタイミングで複列搬送モードに切り替えることにより、写真処理効率の低下を回避しながら効果的にクリーニング処理が行なえるようになるのである。
【０００８】
同第二の特徴構成は、同請求項２に記載した通り、上述の第一特徴構成に加えて、前記配列条件が、搬送方向長さが異なる複数の感光材料の混合搬送パターンである点にある。
【０００９】
上述の構成によれば、一つのオーダーであっても感光材料のサイズが全て同一であるとは限らず、フルサイズやパノラマサイズ等が混合している場合がある。そのような場合に予め設定された所定タイミングで一律に複列搬送モードから列間搬送モードに切り替えると、そのときに列間搬送される感光材料のサイズによってスループットが変動することになる。そこで、そのような混合搬送パターンに応じてスループットの低下を引き起こすことのないタイミングで列間搬送モードに切り替えることができるようになるのである。
【００１０】
同第三の特徴構成は、同請求項３に記載した通り、上述の第一特徴構成に加えて、前記配列条件が、オーダー単位の感光材料の処理枚数である点にある。
【００１１】
上述の第二の特徴構成と同様、例えば、二列の複列搬送を行なっているときに、オーダー単位の感光材料の処理枚数が偶数であれば、所定タイミングに複列搬送モードから列間搬送モードに移行すると、少なくとも二枚の感光材料を連続して単列に搬送する必要が生じてスループットが低下する。そこで、このような場合には、オーダー単位の感光材料の処理枚数が奇数のときに列間搬送モードに移行するように切り替えることによりスループットの大幅な低下を回避することができるようになるのである。
【発明の効果】
【００１２】
以上説明した通り、本発明によれば、写真処理効率の低下を回避しながらも、複列搬送モードで生じる列間のローラ汚れを効果的に除去できる写真処理装置を提供することができるようになった。
【発明を実施するための最良の形態】
【００１３】
以下に本発明による実施の形態を説明する。写真処理装置は、図１に示すように、ロール状に巻かれた感光材料Ｐが送りローラで送り出され、カッター１で所定サイズに切断された後に露光台２と投影光学系を備えた露光部Ａに送られる。露光台２は、断面三角形の各頂点に配置されたローラの周りに無端状の吸着ベルト３が巻回されて構成され、この吸着ベルト３が矢印方向に移動することによって感光材料Ｐが所定位置まで送られる。吸着ベルト３には多数の小孔が穿設され、吸引ファン（図示せず）により内部を負圧にすることにより感光材料Ｐが吸着ベルト３に吸着搬送される。
【００１４】
露光台２の所定位置に送られた感光材料Ｐは、光源４からの光でミラートンネル５、シャッタ６、レンズユニット７等を備えてなる投影光学系によりシャッタ６付近に保持されているフィルムＦの画像が焼付露光される。焼付露光された感光材料Ｐは搬送装置Ｂによって次の現像処理部Ｃへ送られる。
【００１５】
搬送装置Ｂは、多数のローラ対が搬送方向に沿って配置され、各ローラの端に駆動用の無端ベルトが掛け渡され、所定位置に感光材料Ｐの送りを検出するセンサＰＳ１、ＰＳ２ 、ＰＳ３が設けられている。この搬送装置Ｂの途中には、搬送振分け装置１０と並列搬送路２０とが設けられている。
【００１６】
図２は、図１の矢視ａ−ａから見た断面図、図３は、図１の矢視ｂ−ｂから見た断面図を示し、搬送振分け装置１０は、ベース台１１上のレール１２に沿って感光材料Ｐの送り方向と直角な方向にトラバースして移動する移動路１３で構成され、移動路１３は移動フレーム１４に複数のローラ対１５を備え、移動フレーム１４の底部に設けたガイド１２ａでレール１２に摺動自在に係合している。
【００１７】
さらに移動フレーム１４の底部に設けた突出アーム１６がベース台１１を貫通してその裏面まで延び、その端のねじ嵌合部１６ａにボールねじ１７がねじ嵌合し、このボールねじ１７をモータ１８で回転駆動することによって移動路１３が搬送経路に対して左右何れかに移動可能に構成されている。
【００１８】
並列搬送路２０は、図２に示すように、並列に設けられた２つの搬送路２０Ａ、２０Ｂから成り、夫々の搬送路はベース台２１の上に多数のローラ対２２が備えられ、図示省略の無端ベルトがモータ駆動されて各ローラ対が回転駆動される。この駆動部は左右の搬送路に対して別々に設けられ、且つ、感光材料Ｐの送り速度が高速、低速と自在に制御される。通常は、感光材料Ｐの受入れ側は高速度で、送出し側は低速で駆動される。
【００１９】
前記搬送路２０Ａ、２０Ｂの夫々の幅は露光台２の幅とほぼ同じに構成され、並列搬送路２０は略２倍の幅となる。これに対して、前記搬送振分け装置１０の幅は露光台２よりも大きく略２倍以上の幅に構成される。
【００２０】
図４は、図１の矢視ｃ−ｃから見た断面図で、現像処理部Ｃの内部主要構造が示されている。現像処理部Ｃは、タンク３０内を仕切板３１でいくつかの区画に仕切り、夫々の区画内に感光紙の現像処理に必要な異なる種類の現像処理液Ｗが充填されている。図示のタンクは１つの区画のみを示しているが、図示のタンクと同様の構成からなる他の区画が続いている。
【００２１】
各区画内にはフレーム３２に複数のローラ対３３が水平に支持されたラックが備えられている。各区画のラック幅（ローラ幅）は、前述した並列搬送路２０とほぼ同じに構成されタンク３０はこのラックを収納するのに十分な幅を備えている。現像処理部Ｃへは、図１、図４を参照すると分るように、搬送経路Ｂの上部でローラ対により送り方向を曲げられて感光材料Ｐが上部から送り込まれるように途中の搬送路が続いて設けられている。
【００２２】
尚、図示されていないが、露光部Ａの感光材料Ｐをカッター１まで送る送りローラ、露光台２の送りローラ、搬送振分け装置１０へ至る経路の送りローラ、搬送振分け装置１０内の送りローラ、並列搬送路２０の送りローラについての駆動モータは、露光台２及び搬送振分け装置１０へ至る経路の送りローラが１つの駆動モータで同期駆動される以外は、夫々独立に駆動し得るモータが適宜設けられている。
【００２３】
上述の写真処理装置の制御システムは、図５に示すように、汎用のパーソナルコンピュータ４０（以下パソコンと略称する）とパソコン４０にインストールされた制御プログラム及び入出力機器によって構成され、ディスプレイ４１には操作メッセージや各種の操作ボタンが表示され、キーボードやマウス４２からはオーダー情報、プリントの補正操作、装置の始動開始等の各種の入力操作がなされる。
【００２４】
前記パソコン４０は、ブートプログラムが格納されたＲＯＭ４６やワーキングエリアとして使用されるＲＡＭ４７がバスライン４４を介して中央演算処理部４５と接続され、ハードディスク４９に格納された制御プログラムがＲＡＭ４７にロードされて実行されるように構成され、Ｉ／Ｏポート４３を介して写真処理装置内の制御対象部としての各負荷５１ａ〜５１ｈに対応する駆動部５０ａ〜５０ｈを制御するための制御信号が夫々所定タイミングで出力される一方、感光材料Ｐの送りを検出するセンサ等のモニター信号が入力される。
【００２５】
写真処理装置での露光現像処理は、主としてＬサイズ（８９×１２７ｍｍ）やパノラマサイズ（８９×２５４ｍｍ）等の小サイズの感光材料が複数枚連続して搬送され、前記パソコン４０と制御プログラムの一部で構成される搬送制御手段により、その際に原則として前記搬送振分け装置１０により各感光材料Ｐが左右に振り分けられ千鳥状の２列配列となる複列搬送モードで搬送制御される。
【００２６】
このような複列搬送モードで長期間使用している間に現像液中から化学物質が析出等して、タンク内の多数のローラ３３（特に２列の感光材料Ｐの通過領域の間の非通過部位）に付着する。この汚れが酷くなるとサイズの大きい感光材料が搬送されるときに当該感光材料に汚れが転写されて商品性が損なわれるため、再度露光、搬送しなければならず感光材料のロスとなる。また複列搬送する場合でも感光材料の縁部に汚れが付着する等の不都合が生じることがある。
【００２７】
そこで、前記搬送制御手段の一部であるモード切替手段により、所定タイミングで前記複列搬送モードによる感光材料の搬送経路の中間位置に感光材料が単列で搬送される列間搬送モードに切り替えられ、ローラのクリーニング処理が行なわれる。つまり、汚れの発生するごく初期には感光材料と接触する際にローラ上の汚れが感光材料に転写されることなく容易に除去されるので、定期的に列間搬送モードに切り替えることによりローラの汚れが酷くなる前にクリーニングするものである。
【００２８】
以下、上述の複列搬送モードと列間搬送モードの切替搬送制御について説明する。露光部Ａで焼付露光された感光材料Ｐは１枚ずつ処理された順に搬送装置Ｂの導入部のローラ対で送られて搬送振分け装置１０へ達する。このとき移動路１３はその幅中央を上記導入部の中心位置に合致する位置（以下正面位置という）で感光材料Ｐを受入れる。複列搬送モードでは、図６（ａ）から（ｅ）に示すように、移動路１３内で感光材料Ｐを下流側に送りながら、移動路１３は図６（ａ）から図６（ｂ）の間で左側へ移動し、その状態で１枚目の感光材料Ｐ１を搬送路２０Ａに送り込む。図６（ｃ）で感光材料Ｐ１が搬送路２０Ａの先頭付近まで高速で送られた後、低速に切り替えてＰ１はゆっくりと進み、同時に移動路１３は元の正面位置へと戻る。
【００２９】
その後、図６（ｄ）に示すように、Ｐ１ はさらにゆっくりと進み、その間に移動路１３は次の感光材料Ｐ２を受け入れて右側の搬送路２０Ｂ側の方へと移動する。搬送路２０Ｂ内に感光材料Ｐ２ が入ると、これも高速度で先頭位置付近まで進み、その後はＰ１と同じようにゆっくりと進む。図６（ｅ）の状態になると、Ｐ１とＰ２は同じ低速で次の現像処理部へと送られ、その間に移動路１３は元の正面位置へ戻る。そして、次の感光材料Ｐ３を受入れて一点鎖線で示すようにＰ１、Ｐ２ に対して千鳥状に互いの間隔を保持して並列状で現像処理部Ｃへ送られる。
【００３０】
２４枚取りの３５ミリフィルムに対するプリントオーダーに、Ｌサイズ（図中、符号Ｌで示す）とパノラマサイズ（図中、符号Ｐで示す）が混在している場合には、例えば図８に示すような配列でコマ番号の順に露光された感光材料Ｐ（Ｌ１，Ｐ２，Ｌ３，Ｌ４，Ｌ５，・・・Ｐ２２，Ｌ２３，Ｌ２４）が、搬送振分け装置１０によって複列（二列）に振り分けられて１２群または１３群で現像処理部Ｃに送られる。ここに、複列搬送される感光材料が千鳥状に配列されるもの（Ｌサイズ同士）と並列に配列されるもの（Ｌサイズとパノラマサイズ）があるが、これは現像処理後に排出されるプリント順の整合性を確保するべく、排出機構の構造に対応して配列されるものであり本質的な相違は無い。このような場合に、各群のインターバルｄ１、千鳥配列のオフセット値ｄ２、Ｌ，Ｐ各サイズの長さｄ３、ｄ４に基づいて、その全長が次式で求められる。
【００３１】
【数１】
2006178152.tif 000003
【００３２】
上述のモード切替手段は、このように複列搬送モードでの搬送中の所定タイミング、つまり複列搬送モードから列間搬送モードに切り替えるためのタイミング、ここでは前回の列間搬送から後の５０群目の搬送タイミングに達する前後に、複列搬送モードで搬送される感光材料の配列条件に応じて、前記所定タイミングに達する前後の何れかに列間搬送モードに切り替えることにより、列間搬送モードに移行すべき所定タイミングを略維持して効果的にクリーニング処理を実行しながらも、写真処理効率の低下を回避することを可能にしている。
【００３３】
詳述すると、図９中段に示すように、厳格に前記所定タイミングで列間搬送すると、パノラマサイズとＬサイズが並列に搬送されるパターンにおいて当該Ｌサイズが５０群目になるときに最も処理効率が低下することになるのであるが、図９下段に示すように、単列搬送すべき感光材料Ｌ３をＬ４に変更するあいまい処理を行なうことによって処理効率が改善される。つまり、次回の単列搬送タイミングまでの配列の全長を演算導出し、単列搬送の対象となる感光材料の前後の所定枚数の間で対象を変更したときの配列の全長を演算導出し、その長さが最短となる配列に従って列間搬送するのである。
【００３４】
このときの動作を図７に示すフローチャートで説明する。マウス操作でプリント開始指令が出されると（Ｓ１）、プリント枚数カウンタＮの値を１に式設定し（Ｓ２）、搬送制御手段によって感光材料Ｐが送り出され、カッター１で所定サイズにカットされた後に露光部Ａに搬送され、露光処理される（Ｓ３，Ｓ４）。
【００３５】
モード切替手段は、オーダー情報に基づいて処理される５０群目の感光材料、つまり、プリント枚数が１００枚目の感光材料を単列搬送したときの配列長さを演算導出し（Ｓ５）、その前後の所定枚数（適宜設定される）の間に配列される感光材料を単列搬送したときの配列長さと比較評価する（Ｓ６）。評価の結果、配列長さが最短となるときの感光材料の順序Ｍを決定する（Ｓ７）。
【００３６】
プリント枚数カウンタＮの値がＭとなれば（Ｓ８）、プリント枚数カウンタＮの値を１にリセットするとともに（Ｓ１１）、振分装置を単列搬送モードで駆動し（Ｓ１２）、Ｍで無ければプリント枚数カウンタＮをインクリメントするとともに（Ｓ８、Ｓ９）、振分搬送装置を左右に交互に移動させて搬送する振分搬送モードで駆動する（Ｓ１０）。ステップＳ１２及びＳ１０の処理を実行した後にステップＳ３に戻り、プリント処理が終了するまで同様の処理を繰り返す。このようにして、写真処理効率の低下を回避しながらも現像槽内のローラの汚れを効果的に除去することができるのである。
【００３７】
つまり、モード切替手段は、前記複列搬送モードで搬送される感光材料の配列条件に応じて、前記所定タイミングに達する前後に列間搬送モードに切り替えるように構成されているのである。
【００３８】
以上の説明では、前記配列条件が、搬送方向長さが異なる複数の感光材料の混合搬送パターンである場合を説明したが、前記配列条件が、オーダー単位の感光材料の処理枚数である場合にも適用可能である。この場合には、二列の複列搬送を行なっているときに、オーダー単位の感光材料の処理枚数が偶数であれば、所定タイミングに複列搬送モードから列間搬送モードに移行すると、少なくとも二枚の感光材料を連続して単列に搬送する必要が生じてスループットが低下するので、オーダー単位の感光材料の処理枚数が奇数のときに列間搬送モードに移行するように切り替えることによりスループットの大幅な低下を回避することができる。この場合、前記所定タイミングに合致するオーダーまたはその前後のオーダーの何れかが奇数枚数であれば、前記所定タイミングに最も近い奇数枚オーダーの感光材料が単列搬送されるように切り替えられる。尚、何れのオーダーも偶数枚の時には、当該所定タイミングで単列搬送に切り替えられる。
【００３９】
また、上述の説明では、所定タイミングとして現像処理枚数が１００枚となるタイミングを説明したが、処理枚数を１００枚に限定するものではなく、適宜設定可能である。また、所定タイミングは現像処理枚数に限るものではなく、複列搬送モードで現像処理される時間で規定するものであってもよい。
【００４０】
上述の実施形態では、アナログの方式の投影露光による写真処理装置を説明したが、デジタル露光方式の写真処理装置にも適用可能であることはいうまでも無い。図１０、図１１に示すように、デジタル露光方式の写真処理装置は、感光材料Ｐに対して出力画像データに基づいた露光処理を行なうと共に露光された感光材料を現像処理する写真プリンタ１０２と、現像済みの写真フィルムＦから画像を読み込むフィルムスキャナ１３１やデジタルスチルカメラ等で撮影された画像データが格納されたメモリカード等の画像データ記憶メディアＭから画像データを読み取るメディアドライバ１３２や、コントローラ１３３としての汎用コンピュータ等を備え、入力された元画像としての写真画像に対するプリントオーダー情報を設定入力するとともに、各種の画像補正処理を行なう操作ステーション１０３を備えて構成され、前記操作ステーション１０３で元画像から編集処理されたプリントデータが前記写真プリンタ１０２に出力されて所望の写真プリントが生成される。
【００４１】
前記写真プリンタ１０２は、ロール状の感光材料Ｐを収容した二系統の感光材料マガジン１２１と、前記感光材料マガジン１２１から引き出された感光材料Ｐを所定のプリントサイズに切断するカッター１２２と、切断後の感光材料Ｐの背面にコマ番号等のプリント情報を印字するバックプリント部１２３と、前記プリントデータに基づいて感光材料Ｐを露光する露光部１２４と、露光後の感光材料Ｐを現像、漂白、定着するための各処理液が充填された複数の処理槽１２５ａ，１２５ｂ，１２５ｃを備えた現像処理部１２５が感光材料Ｐの搬送経路に沿って配置され、現像処理後に乾燥処理された感光材料Ｐが排出される横送りコンベア１２６と、横送りコンベア１２６に集積された複数枚の感光材料（写真プリント）Ｐがオーダー単位で仕分けられるソータ１２７を備えて構成される。
【００４２】
前記露光部１２４には、前記搬送機構１２８によって副走査方向に搬送される感光材料Ｐに対して、搬送方向に直交する主走査方向に前記プリントデータに基づき変調されたＲＧＢ三色の光線束を出力して露光する露光ヘッド１２４ａが収容されている。
【００４３】
前記搬送経路に沿って配置された前記露光部１２４や現像処理部１２５に応じたプロセス速度で感光材料Ｐを搬送する複数のローラ対でなる搬送機構１２８が配置され、前記露光部１２４の前後には感光材料Ｐを複列に搬送可能なチャッカー式搬送機構１２８ａが設けられている。
【００４４】
前記操作ステーション１０３に設けられたコントローラ１３３には、汎用のオペレーティングシステムの管理下で動作し、前記写真処理装置の各種制御が実行されるアプリケーションプログラムがインストールされ、オペレータとの操作インターフェースとしてモニター１３４、キーボード１３５、マウス１３６等が接続されている。
【００４５】
このような写真処理装置では、チャッカー式搬送機構１２８ａにより感光材料が複列または単列に搬送されるもので、上流側から搬送される感光材料Ｐを受け入れる受入部と下流側に引き渡す引渡し部と、受入部における搬送路中央位置で挟持した感光材料Ｐをトラバース機構により左右何れかに振分移動しながら引渡し部に向けて搬送する複列搬送モードと、受入部における搬送路中央位置で挟持した感光材料Ｐをそのまま中央位置で搬送して引渡し部に引き渡す単列搬送モードとがモード切替手段によって切替制御されるものである。尚、図１１では、チャッカー式搬送機構１２８ａが前記露光部１２４の前後にそれぞれ設けられているが、本発明は前記露光部１２４の後ろに設けられたチャッカー式搬送機構１２８ａに適用されるものである。
【００４６】
上述の何れの実施形態においても複列搬送モード時の列数は二列に限るものではなく、三列以上の複列に搬送されるものであってもよく、また列間搬送モードは単列に限るものではなく、複列搬送モードによる感光材料の搬送経路の中間位置に感光材料を搬送するものであれば単列又は複列で搬送するものの何れもが含まれる概念である。
【図面の簡単な説明】
【００４７】
【図１】写真画像処理装置の概略断面図
【図２】図１のａ−ａ線断面図
【図３】図１のｂ−ｂ線断面図
【図４】図１のｃ−ｃ線断面図
【図５】写真処理装置の制御システムのブロック構成図
【図６】複列搬送モードの説明図
【図７】モード切替手段による切替動作を説明するフローチャート
【図８】配列条件の説明図
【図９】配列条件の説明図
【図１０】別実施形態を示す写真画像処理装置の外観図
【図１１】別実施形態を示す写真画像処理装置の概略断面図
【符号の説明】
【００４８】
Ａ：露光部
Ｂ：搬送部
Ｃ：現像処理部
１０：搬送振分け装置
２０：並列搬送路
【図１】
2006178152.tif 000004
【図２】
2006178152.tif 000005
【図３】
2006178152.tif 000006
【図４】
2006178152.tif 000007
【図５】
2006178152.tif 000008
【図７】
2006178152.tif 000009
【図８】
2006178152.tif 000010
【図９】
2006178152.tif 000011
【図１０】
2006178152.tif 000012
【図１１】
2006178152.tif 000013
【図６】
2006178152.tif 000014